(57)【特許請求の範囲】
【請求項１】
貯蔵物を冷蔵保存する冷蔵室と、前記冷蔵室よりも高い室内温度で野菜を冷却保存する野菜室と、貯蔵物を冷凍保存する冷凍室と、冷却器による冷却とヒータによる加熱とによって貯蔵物の冷凍保存を含む冷却保存を行う低温側と加熱食品を保温する高温側とに室内温度を切り替えできる温度切替室とを備えた冷蔵庫において、
貯蔵物を収納する収納部を前記温度切替室に備え、
前記ヒータを前記収納部の後方上方に設けるとともに前記ヒータ表面に向けて送風する送風機を前記ヒータの近傍に設け、
前記温度切替室を高温側に切り替えた場合に、前記送風機は前記温度切替室内の空気を循環させ、
前記ヒータの輻射熱の一部が、前記収納部と前記ヒータとの間に設けられた背面板を介して放出されて前記温度切替室を昇温し、
前記背面板は、上部に設けられて前記温度切替室に空気が流入する流入口と、下部に設けられて前記温度切替室から空気が流出する流出口とを有し、
前記温度切替室の上方に前記野菜室を配置するとともに前記温度切替室の下方に前記冷凍室を配置したことを特徴とする冷蔵庫。
【請求項２】
前記冷蔵室と前記野菜室とを直列に連結し、前記冷蔵室と前記温度切替室と前記冷凍室とを並列に連結する冷気回路を備えたことを特徴とする請求項１に記載の冷蔵庫。
【請求項３】
前記冷却器を複数設け、一の前記冷却器により前記冷凍室及び前記温度切替室を冷却するとともに、他の前記冷却器により前記冷蔵室及び前記野菜室を冷却することを特徴とする請求項１または請求項２に記載の冷蔵庫。
【請求項４】
前記送風機は前記収納部の後方に設けられるとともに前記温度切替室内の空気を攪拌し、空気吐出側が前記ヒータに面していることを特徴とする請求項１〜請求項３のいずれかに記載の冷蔵庫。
【請求項５】
前記温度切替室の高温側の室内温度の１つを５０℃以上にしたことを特徴とする請求項１〜請求項４のいずれかに記載の冷蔵庫。
【発明の詳細な説明】
【技術分野】
【０００１】
本発明は、ユーザにより所望の室内温度に切り替えることができる温度切替室を備えた冷蔵庫に関する。
【背景技術】
【０００２】
生活環境の変化が著しい昨今においては、家族それぞれが食事を摂る時間が異なる家庭が増えている。このため、加熱食品を保温するために保温箱や保温用収納容器が用いられる。これにより、調理を何度も行う手間を省くことができる。
【０００３】
一方、冷凍室及び冷蔵室に加えて温度切替室を備えた冷蔵庫が特許文献１に開示されている。この冷蔵庫は、温度切替室に送出される冷気の通路を開閉するダンパ装置と、温度切替室を昇温するヒータとを備えている。これにより、温度切換室の室内温度を使用者の用途に応じて冷凍、冷蔵、パーシャル、チルド等の所望の低温の温度帯に切り替えることができる。
【特許文献１】特開平１０−２８８４４０号公報
【発明の開示】
【発明が解決しようとする課題】
【０００４】
しかしながら、加熱食品を保温するために保温箱や収納容器を用いると設置場所の確保が困難な問題や使用者の経済的負担が大きくなる問題がある。また、食品を移し替える煩雑な作業を必要とし、利便性が悪い問題があった。
【０００５】
本発明は、使用者の負担を軽減するとともに場所の確保を容易にして利便性の高い冷蔵庫を提供することを目的とする。
【課題を解決するための手段】
【０００６】
上記目的を達成するために本発明の冷蔵庫は、貯蔵物を冷蔵保存する冷蔵室と、前記冷蔵室よりも高い室内温度で野菜を冷却保存する野菜室と、貯蔵物を冷凍保存する冷凍室と、冷却器による冷却とヒータによる加熱とによって貯蔵物の冷凍保存を含む冷却保存を行う低温側と加熱食品を保温する高温側とに室内温度を切り替えできる温度切替室とを備えた冷蔵庫において、貯蔵物を収納する収納部を前記温度切替室に備え、前記ヒータを前記収納部の後方上方に設けるとともに前記ヒータ表面に向けて送風する送風機を前記ヒータの近傍に設け、前記温度切替室を高温側に切り替えた場合に、前記送風機は前記温度切替室内の空気を循環させ、前記ヒータの輻射熱の一部が、前記収納部と前記ヒータとの間に設けられた背面板を介して放出されて前記温度切替室を昇温し、前記背面板は、上部に設けられて前記温度切替室に空気が流入する流入口と、下部に設けられて前記温度切替室から空気が流出する流出口とを有し、前記温度切替室の上方に前記野菜室を配置するとともに前記温度切替室の下方に前記冷凍室を配置したことを特徴としている。
【０００７】
この構成によると、温度切替室は低温側に切り替えられると冷却器から冷気が導入され、冷凍、パーシャル、チルド、冷蔵等の低温室となる。これにより、貯蔵物を冷蔵保存または冷凍保存できる。温度切替室は高温側に切り替えられるとヒータが駆動され、温度切替室内を昇温して温度切替室が高温室となる。これにより、加熱調理済み食品の一時的な保温や冬場の温調理等ができる。
【０００８】
また本発明は上記構成の冷蔵庫において、前記冷蔵室と前記野菜室とを直列に連結し、前記冷蔵室と前記温度切替室と前記冷凍室とを並列に連結する冷気回路を備えたことを特徴としている。この構成によると、冷却器で生成される冷気は分岐して冷蔵室、温度切替室、冷凍室にそれぞれ流入する。冷蔵室から流出した冷気は野菜室に流入する。野菜室、温度切替室、冷凍室から流出した冷気は合流して冷却器に戻る。
【０００９】
また本発明は上記構成の冷蔵庫において、前記冷却器を複数設け、一の前記冷却器により前記冷凍室及び前記温度切替室を冷却するとともに、他の前記冷却器により前記冷蔵室及び前記野菜室を冷却することを特徴としている。この構成によると、一の冷却器と熱交換して冷却された空気により冷凍室及び温度切替室が冷凍温度に保持される。温度切替室に流入する風量を可変すると温度切替室が冷凍温度よりも高温の温度に保持される。また、他の冷却器と熱交換して冷却された空気により冷蔵室及び野菜室が冷却される。
【００１０】
また本発明は上記構成の冷蔵庫において、前記送風機は前記収納部の後方に設けられるとともに前記温度切替室内の空気を攪拌し、空気吐出側が前記ヒータに面していることを特徴としている。
【００１１】
また本発明は上記構成の冷蔵庫において、前記温度切替室の高温側の室内温度の１つを５０℃以上にしたことを特徴としている。
【発明の効果】
【００１２】
本発明によると、貯蔵物を冷蔵保存または冷凍保存する低温側と加熱食品を保温する高温側とに室内温度を切り替えできる温度切替室を備えたので、加熱食品を保温するための使用者の経済的負担を軽減するとともに場所の確保を容易にして利便性の高い冷蔵庫を提供することができる。また、上方から、野菜室、温度切替室、冷凍室の順に配置したので、冷気通路を短縮して容積効率を向上することができる。
【００１４】
また本発明によると、冷蔵室と野菜室とを直列に連結し、冷蔵室と温度切替室と冷凍室とを並列に連結する冷気回路を備えたので、野菜室と一体の冷蔵室と、温度切替室と、冷凍室とを独立した温度に維持することができる。
【００１６】
また本発明によると、複数の冷却器を有する冷蔵庫において上方から、野菜室、温度切替室、冷凍室の順に配置したので、冷気通路を短縮して容積効率を向上することができる。
【発明を実施するための最良の形態】
【００１７】
以下に本発明の実施形態を図面を参照して説明する。図１、図２は第１実施形態の冷蔵庫を示す正面図及び右側面図である。冷蔵庫１は、上部に冷蔵室２が配され、冷蔵室２の下方に野菜室５が配される。野菜室５の下方には温度切替室３及び製氷室４が左右に並設され、温度切替室３及び製氷室４の下方に冷凍室６が配されている。
【００１８】
冷蔵室２は貯蔵物を冷蔵保存し、野菜室５は冷蔵室２よりも高い室内温度（約８℃）で野菜を冷却保存する。温度切替室３は詳細を後述するように、使用者により室温を切り替えられるようになっている。冷凍室６は貯蔵物を冷凍保存し、製氷室４は冷凍室６に連通して氷を製氷する。
【００１９】
図３は冷蔵庫１の冷気の流れを示す冷気回路図である。冷凍室６、冷蔵室２及び温度切替室３はそれぞれ並列に配される。製氷室４は冷凍室６と直列に配され、野菜室５は冷蔵室２と直列に配される。また、冷蔵室２の下部にはチルド温度帯（約０℃）に維持されたチルド室２３が設けられ、冷蔵室２とチルド室２３とが並列に連結されて野菜室５に直列接続される。
【００２０】
冷却器１７で生成された冷気は、冷凍室送風機１８の駆動により製氷室４に送出される。製氷室４に送出された冷気は製氷室４及び冷凍室６を流通し、冷凍室ダンパ２２から流出して冷却器１７に戻る。これにより、製氷室４及び冷凍室６内が冷却される。
【００２１】
冷凍室送風機１８の排気側で分岐した冷気はチルド室２３に送出される。また、冷蔵室送風機２８の駆動により、冷蔵室ダンパ２７を介して冷蔵室２に送出される。これらの冷気は冷蔵室２及びチルド室２３を流通して貯蔵物と熱交換した後、野菜室５に流入する。野菜室５に流入した冷気は野菜室５内を流通して冷却器１７に戻る。これにより、冷蔵室２及び野菜室５内が冷却され、設定温度になると冷蔵室ダンパ２７及びチルド室ダンパ２３が閉じられる。
【００２２】
また、冷凍室送風機１８の排気側で分岐した冷気は、温度切替室送風機１４の駆動により温度切替室吐出ダンパ１３を介して温度切替室３に流入する。温度切替室３に流入した冷気は温度切替室３内を流通して温度切替室戻りダンパ２０から流出し、冷却器１７に戻る。これにより、温度切替室３内が冷却される。
【００２３】
図４は温度切替室３を示す右側面断面図である。温度切替室３の上下面は断熱壁７、８により野菜室５及び冷凍室６と断熱隔離されている。また、温度切替室３の側面は図示しない断熱壁により製氷室４と断熱隔離されている。温度切替室３の前面は回動式の扉９により開閉可能になっている。温度切替室３の背面は背面板３３により覆われている。
【００２４】
背面板３３の上部には温度切替室３に空気が流入する流入口３３ａが設けられ、下部には温度切替室３から空気が流出する流出口３３ｂが設けられる。また、流入口３３ａ及び流出口３３ｂ近傍には温度切替室３内の温度を検知する温度センサ２４、１６が設けられる。
【００２５】
背面板３３の後方には、外壁を形成する断熱壁１０との間に導入通風路１２が設けられている。導入通風路１２には温度切替室吐出ダンパ１３（図３参照）が設けられ、冷却器１７（図３参照）で発生した冷気を温度切替室３に導く。また、温度切替室吐出ダンパ１３の開閉により冷却器１７と温度切替室３の流入側との間の冷気経路が開閉され、開閉量によって導入通風路１２から温度切替室３に流入する風量が調整される。
【００２６】
導入通風路１２内には、温度切替室吐出ダンパ１３と流入口３３ａとの間に温度切替室送風機１４が設けられている。温度切替室送風機１４の駆動によって冷却器１７からの冷気が容易に温度切替室３に導かれる。
【００２７】
流出口３３ｂの後方には温度切替室戻りダンパ２０が設けられる。温度切替室戻りダンパ２０は開口部２０ａ、２０ｂを有し、回動により一方を開いて他方を閉じるバッフル２０ｃを有している。開口部２０ｂを開くと温度切替室３から流出する空気は冷却器１７に導かれる。
【００２８】
開口部２０ａを開くと温度切替室３から流出する空気は温度切替室送風機１４の吸気側に導かれるとともに、温度切替室３の流出側と冷却器１７との冷気経路が閉じられる。従って、温度切替室送風機１４を駆動し、開口部２０ｂを閉じて温度切替室戻りダンパ２０を閉じることにより、矢印Ｆに示すように温度切替室３の空気を循環させることができる。尚、温度切替室送風機１４を温度切替室３内に設けてもよい。
【００２９】
温度切替室３の流入口３３ａの背後にはヒータ１５（加熱装置）が設けられる。ヒータ１５は熱輻射式のガラス管ヒータから成り、背面板３３を介して放出される輻射熱により温度切替室３を昇温する。温度切替室送風機１４はヒータ１５の表面に向けて送風するように配置されている。これにより、ヒータ１５の表面温度を下げて安全性を向上させることができる。また、流出口３３ｂには、所定の温度まで高温になるとヒータ１５の通電を遮断する温度ヒューズ３０が設けられる。
【００３０】
温度切替室３内には貯蔵物を載置する引出し式の収納ケース１１が配されている。収納ケース１１の底面には温度センサ３４が設けられる。これにより、収納ケース１１上に載置される貯蔵物の温度を正確に検知することができる。
【００３１】
前述のように、温度切替室３は使用者の操作により室内温度を切り替えることができるようになっている。温度切替室３の動作モードは温度帯に応じてワイン（８℃）、冷蔵（３℃）、チルド（０℃）、ソフト冷凍（−８℃）、冷凍（−１５℃）の各冷却モードが設けられる。
【００３２】
これにより、使用者は所望の温度で貯蔵物を冷凍または冷蔵して冷却保存できる。室内温度の切り替えは温度切替室吐出ダンパ１３を開く量を可変して行うことができる。尚、例えば冷凍の室内温度から冷蔵の室内温度に切り替える際にヒータ１５に通電して昇温してもよい。これにより、迅速に所望の室内温度に切り替えることができる。
【００３３】
また、ヒータ１５に通電することにより、温度切替室３の室内温度を貯蔵物を冷却保存する低温側から調理済み加熱食品の一時的な保温や温調理等を行う高温側に切り替えることができる。高温側の室内温度は、主な食中毒菌の発育温度が３０℃〜４５℃であるため、ヒータ容量の公差や温度切替室３内の温度分布等を考慮して５０℃以上にするとよい。これにより、食中毒菌の繁殖を防止できる。
【００３４】
また、冷蔵庫に用いられる一般的な樹脂製部品の耐熱温度が８０℃であるため、高温側の室内温度を８０℃以下にすると安価に実現することができる。加えて、食中毒菌を滅菌するためには、例えば腸管出血性大腸菌（病原性大腸菌Ｏ１５７）の場合では７５℃で１分間の加熱が必要である。従って、高温側の室内温度を７５℃〜８０℃にするとより望ましい。
【００３５】
以下は５５℃での食中毒菌の減菌に関する試験結果である。試験サンプルは初期状態で大腸菌２．４×１０3ＣＦＵ／ｍＬ、黄色ブドウ球菌２．０×１０3ＣＦＵ／ｍＬ、サルモネラ２．１×１０3ＣＦＵ／ｍＬ、腸炎ビブリオ１．５×１０3ＣＦＵ／ｍＬ、セレウス４．０×１０3ＣＦＵ／ｍＬを含んでいる。この試験サンプルを４０分間で３℃から５５℃に加温し、５５℃で３．５時間保温後、８０分間で５５℃から３℃に戻して再度各菌の量を調べた。その結果、いずれの菌も１０ＣＦＵ／ｍＬ以下（検出せず）のレベルまで減少していた。従って、温度切替室３の高温側の設定温度を５５℃としても充分減菌効果がある。
【００３６】
本実施形態によると、貯蔵物を冷却保存する低温側と加熱食品を保温する高温側とに室内温度を切り替えできる温度切替室３を備えたので、別途保温庫等を必要とせず使用者の経済的な負担を軽減するとともに保温庫等の設置場所の確保を不要にして加熱食品を保温できる利便性の高い冷蔵庫１を提供することができる。
【００３７】
また、上方から冷蔵室２、野菜室５、温度切替室３、冷凍室６の順に配置したので、容積効率を向上することができる。即ち、冷却器１７は冷凍温度に維持される冷凍室６の背後に配される。これにより、冷却器１７で生成した冷気を直ちに冷凍室６に送出して冷却効率の低下を防止することができる。また、温度切替室３は使用者の選択により冷凍温度に維持される場合がある。このため、冷凍室６に近設することにより冷却器１７で生成した冷気を直ちに冷凍室６に送出して冷却効率の低下を防止することができる。
【００３８】
一方、冷蔵室２と野菜室５とは直列に連結されるため、冷蔵室２内の貯蔵物と熱交換した冷気が室内温度の高い野菜室５に流入する。このため、冷蔵室２よりも野菜室５を下方に配置すると、冷気が自重により降下して野菜室５に流入し、送風効率がよい。
【００３９】
この時、冷蔵室２と野菜室５との間に冷凍室６を配置すると、冷蔵室２の冷気流出口と野菜室５の冷気流入口との間を連結するダクトが長くなり、冷気流入側の総ダクト長が長くなる。また、冷凍室６の背後は、冷蔵室２の冷気流出口と野菜室５を連結するダクトと、冷凍室６、温度切替室３、野菜室５の冷気流出口から冷却器１７に冷気を戻すダクトとが並設される。このため、冷気流出側の２つのダクトのスペースが占有される。
【００４０】
冷蔵室２と野菜室５との間に冷凍室６を配置しない場合は、冷蔵室２の冷気流出口と野菜室５の冷気流入口との間を連結するダクト長を短縮できる。また、冷蔵室２の冷気流出口と野菜室５を連結するダクトと、冷凍室６、温度切替室３、野菜室５の冷気流出口から冷却器１７に冷気を戻すダクトとを並設させずに上下に分離することができる。これにより、各貯蔵室の背後は冷気流出側として１つのダクトのスペースが占有されるだけであり、各貯蔵室は広いスペースを確保できる。
【００４１】
尚、冷却器１７に対して冷蔵室２及び野菜室５と同じ側に温度切替室３を配置することにより、冷却器１７から延びる冷気流入側のダクトは同じ側に配置される。これにより、冷凍室６、温度切替室３及び冷蔵室２背後は冷気流入側として１つのダクトのスペースが占有されるだけになる。
【００４２】
加えて、冷蔵室２及び野菜室５を冷凍室６及び温度切替室３の上方に配置すると、使用頻度の高い冷蔵室２を使用する際に使用者が屈む必要がなく冷蔵庫１の使用性が向上する。従って、上方から冷蔵室２、野菜室５、温度切替室３、冷凍室６の順に配置することにより、ダクトの総配設距離を短くして冷蔵庫１の容積効率を向上するとともに使用性を向上ことができる。
【００４３】
また、温度切替室３を低温側にする場合は、冷蔵室２、野菜室５、チルド室２３、冷凍室６のスペースを拡充するために用いられる。高温側で使用する場合は加熱食品の保温等の専用的な用途である。また、製氷室４は氷の製氷を行う専用的な用途に使用される。このため、広いスペースを必要としない製氷室４と温度切替室３とを横方向に並べることにより、冷蔵室２、野菜室５、冷凍室６の広いスペースを確保して利便性を向上することができる。
【００４４】
尚、本実施形態において、野菜室５の流出口にダンパを設けてもよい。これにより、温度切替室３を高温側から低温側に切り替えた際に、該ダンパを閉じて温度切替室３からの熱風が野菜室５に逆流することを防止できる。また、温度切替室３を高温側から低温側へ切り替える際に冷凍室送風機１８が停止されている場合には、冷凍室ダンパ２２が閉じられるようになっている。これにより、温度切替室送風機１４の駆動によって冷凍室ダンパ２２から冷凍室６内へ熱風が逆流することを防止できる。
【００４５】
次に、図５は第２実施形態の冷蔵庫の冷気回路図を示している。説明の便宜上、図１〜図４に示す第１実施形態と同様の部分には同一の符号を付している。本実施形態の冷蔵庫１は２つの冷却器１７、４０が設けられ、それぞれ独立の冷気回路を構成する。その他の部分は第１実施形態と同様である。
【００４６】
冷凍室６及び温度切替室３はそれぞれ並列に配され、製氷室４は冷凍室６と直列に配される。冷蔵室２とチルド室２３とは並列に連結されて野菜室５に直列接続される。冷却器１７で生成された冷気は、冷凍室送風機１８の駆動により製氷室４に送出される。製氷室４に送出された冷気は製氷室４及び冷凍室６を流通し、冷凍室ダンパ２２から流出して冷却器１７に戻る。これにより、製氷室４及び冷凍室６内が冷却される。
【００４７】
また、冷凍室送風機１８の排気側で分岐した冷気は、温度切替室送風機１４の駆動により温度切替室吐出ダンパ１３を介して温度切替室３に流入する。温度切替室３に流入した冷気は温度切替室３内を流通して温度切替室戻りダンパ２０から流出し、冷却器１７に戻る。これにより、温度切替室３内が冷却される。尚、温度切替室吐出ダンパ１３を開閉することにより温度切替室３を温度調節して冷凍温度よりも高温の冷蔵温度等に維持することができる。
【００４８】
冷却器４０で生成された冷気は冷蔵室送風機２８の駆動によりチルド室２３に送出される。また、冷蔵室送風機２８の排気側で分岐した冷気は冷蔵室ダンパ２７を介して冷蔵室２に送出される。これらの冷気は冷蔵室２及びチルド室２３を流通して貯蔵物と熱交換した後、野菜室５に流入する。野菜室５に流入した冷気は野菜室５内を流通して冷却器４０に戻る。これにより、冷蔵室２及び野菜室５内が冷却され、設定温度になると冷蔵室ダンパ２７及びチルド室ダンパ２３が閉じられる。
【００４９】
本実施形態によると、第１実施形態と同様に、貯蔵物を冷却保存する低温側と加熱食品を保温する高温側とに室内温度を切り替えできる温度切替室３を備えたので、別途保温庫等を必要とせず使用者の経済的な負担を軽減するとともに保温庫等の設置場所の確保を不要にして加熱食品を保温できる利便性の高い冷蔵庫１を提供することができる。
【００５０】
また、上方から冷蔵室２、野菜室５、温度切替室３、冷凍室６の順に配置したので、容積効率を向上することができる。加えて、広いスペースを必要としない製氷室４と温度切替室３とを横方向に並べることにより、冷蔵室２、野菜室５、冷凍室６の広いスペースを確保して利便性を向上することができる。
【産業上の利用可能性】
【００５１】
本発明によると、温度切替室を有した冷蔵庫に利用することができる。
【図面の簡単な説明】
【００５２】
【図１】本発明の第１実施形態の冷蔵庫を示す正面図
【図２】本発明の第１実施形態の冷蔵庫を示す右側面図
【図３】本発明の第１実施形態の冷蔵庫の冷気の流れを示す冷気回路図
【図４】本発明の第１実施形態の冷蔵庫の温度切替室を示す右側面断面図
【図５】本発明の第２実施形態の冷蔵庫の冷気の流れを示す冷気回路図
【符号の説明】
【００５３】
１    冷蔵庫
２    冷蔵室
３    温度切替室
４    製氷室
５    野菜室
６    冷凍室
９    扉
１２    導入通風路
１３    温度切替室吐出ダンパ
１４    温度切替室送風機
１５    ヒータ
１７、４０  冷却器
１６、２４、３４  温度センサ
１８    冷凍室送風機
２０    温度切替室戻りダンパ
２２    冷凍室ダンパ
２５    チルド室ダンパ
２８    冷蔵室送風機
３０    温度ヒューズ
【図１】
0004708108.tif 000002
【図２】
0004708108.tif 000003
【図３】
0004708108.tif 000004
【図４】
0004708108.tif 000005
【図５】
0004708108.tif 000006